(57)【特許請求の範囲】
【請求項１】
溜水部内において排水路入口とこの排水路入口に向けて洗浄水を吐出するゼット吐水口とが対向して開口しているサイホン式便器において、前記ゼット吐水口から排水路入口へ向けて吐出される洗浄水による浮遊汚物を巻き込む旋回流を生成する旋回流生成手段が、ゼット吐水口近傍に設けられ、また前記旋回流生成手段が設けられたゼット吐水口の吐水断面積が、上側に比べて下側が大きく、上側の面積は下側の面積に比べて左右方向で異なっていることを特徴とするサイホン式便器。
【請求項２】
請求項１に記載のサイホン式便器において、前記旋回流生成手段がゼット吐水口の上部隅部を含む近傍に設けられていることを特徴とするサイホン式便器。
【請求項３】
請求項１に記載のサイホン式便器において、前記旋回流生成手段が、便器本体と別体とし取り外し自在に設けられていることを特徴とするサイホン式便器。
【請求項４】
請求項１に記載のサイホン式便器において、このサイホン式便器は補助ゼット流吐水手段を設けたことを特徴とするサイホン式便器。
【請求項５】
請求項４に記載のサイホン式便器において、前記補助ゼット流吐水手段は、ゼット吐水口の上流側で洗浄水供給通路から分岐して設けられた補助ゼット吐水口であり、この補助ゼット吐水口を、前記便器中心軸に対して左右方向のいずれか一方に偏位して設けられた前記ゼット吐水口と反対側の排水路入口近傍に設けたことを特徴とするサイホン式便器。
【発明の詳細な説明】
【０００１】
【発明の属する技術分野】
本発明はゼット吐水口から吐出した洗浄水をトラップを備えた排水路入口に送り込むようにしたサイホン式便器に関する。
【０００２】
【従来の技術】
図１４は従来の便器の平面図、図１５は図１４に示した従来の便器の縦断面図であり、従来のサイホン式便器１００には、洗浄水供給通路１０１と排水路１０２が形成され、洗浄水供給通路１０１は直線部１０３と、湾曲部１０４と、これら直線部１０３と湾曲部１０４とを連絡する連絡穴１０５とからなり、排水路１０２にはトラップ部１０６が形成されている。
【０００３】
そして、直線部１０３の上流端にはフラッシュバルブやタンクにつながる給水穴１０７が開口し、湾曲部１０４はボール部１０８に開口する排水口１０９を廻り込むようにして折り返されてゼット吐水口１１０となって溜水部内で開口し、このゼット吐水口１１０と対向する位置に排水路１０２の入口１１１が開口している。
【０００４】
図１６は他の従来の便器の平面図、図１７は図１６に示した従来の便器の縦断面図であり、この従来例は、リム通水路１１２の両サイドに連絡穴１１３を形成し、これら連絡穴１１３から導水路１１４を便器中央に向けて形成し、これら導水路１１４の合流部にゼット吐水口１１０を形成している。
【０００５】
【発明が解決しようとする課題】
上述した従来のサイホン式便器にあっては、洗浄水供給通路の形状が洗浄水の流れに抵抗を与える形状となっているので、洗浄水の流速が低下し、少量の洗浄水では汚物を確実に洗い流すことができない。
【０００６】
具体的には、図１４及び図１５に示した従来のサイホン式便器にあっては、直線部１０３から湾曲部１０４への流入は連絡穴１０５の部分で９０°方向を転換し、更にゼット吐水口１１０の直前では約１８０°方向を転換するため、洗浄水の流速が大幅に低下してしまう。
【０００７】
また、図１６及び図１７に示した従来のサイホン式便器にあっては、直線部１０３からリム通水路１１２に入るときに壁面に直角に衝突し、さらに、リム通水路１１２から連絡穴１０３を介して導水路１１４へ流入するときに下向きに９０°方向を転換し、また、導水路１１４の合流部において左右から洗浄水が衝突するため洗浄水の流速が大幅に低下してしまう。
【０００８】
また従来のサイホン式便器にあっては、給水穴１０７の直下の直線部１０３の底面の一部が後に向かって傾斜しているため、給水穴１０７から導入された洗浄しの一部が前方に進まず、ここで流速が低下してしまう。
【０００９】
【課題を解決するための手段】
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
上記課題を解決すべく、請求項１に記載のサイホン式便器は、ゼット吐水口から排水路入口へ向けて吐出される洗浄水が浮遊汚物を巻き込む旋回流を形成するようにして、吐水流の旋回流を生成する旋回流生成手段を、ゼット吐水口近傍に設けたサイホン式便器において、前記旋回流生成手段が設けられたゼット吐水口の吐水断面積が、上側に比べて下側が大きく、上側の面積は下側の面積に比べて左右方向で異なっているようにした。このような構成とすることで、前記同様に容易に旋回流を生成できる。
【００２９】
また、請求項２に記載のサイホン式便器は、請求項１に記載のサイホン式便器において、前記旋回流生成手段がゼット吐水口の上部隅部を含む近傍に設けられているようにした。このような構成とすることで、前記同様に容易に旋回流を生成できる。
【００３０】
また、請求項３に記載のサイホン式便器は、請求項１に記載のサイホン式便器において、前記旋回流生成手段が、取り外し自在に設けられているようにした。このような構成とすることで、修理などの際に便利である。
【００３１】
また、請求項４に記載のサイホン式便器は、請求項１に記載のサイホン式便器において、補助ゼット流吐水手段を設けた。このような構成とすることで、溜水部への洗浄水の戻りを確実に防止することができる。
【００３２】
【００３３】
【００３４】
また、請求項５に記載のサイホン式便器は、請求項４に記載のサイホン式便器において、前記補助ゼット流吐水手段は、ゼット吐水口の上流側で洗浄水供給通路から分岐して設けられた補助ゼット吐水口であり、この補助ゼット吐水口を、前記便器中心軸に対して左右方向のいずれか一方に偏位して設けられた前記ゼット吐水口と反対側の排水路入口近傍に設けた。このような構成とすることで、前記同様、溜水部への洗浄水の戻りを確実に防止することができる。
【００３５】
また、請求項１乃至請求項５のいずれかに記載のサイホン式便器としては、排水口の芯の床面からの高さが１２０ｍｍ以上で洗浄水総流量が８リットル、または前記高さが１５５ｍｍ以上で洗浄水総流量が１０リットルの洗浄能力を有するものが考えられる。
【００３６】
また、この便器の洗浄水総流量は、たとえば、排水口の芯の床面からの高さが１２０ｍｍの洗浄水総流量に対する排水口の芯の床面からの高さが１５５ｍｍの洗浄水総流量の比率が１２５％であるようにする。
【００３７】
【発明の実施の形態】
以下に本発明の実施の形態を添付図面に基づいて説明する。図１は本発明に係るサイホン式便器の平面図、図２は図１に示した便器の縦断面図であり、この実施例にあっては、従来のサイホン式便器と同様に、便器に洗浄水供給通路１と排水路２が形成されている。
【００３８】
そして、洗浄水供給通路１は直線部３と、湾曲部４と、これら直線部３と湾曲部４とを連絡する連絡部５からなり、直線部３の上流端にはフラッシュバルブやタンクにつながる給水穴６が開口している。この給水穴６の直下の直線部３の底面３ａは、前方に向かった傾斜面となっており、給水穴６から導入された洗浄水が直線部３に沿って連絡部５へ流れやすい構造になっている。
【００３９】
また、便器の上部周縁にはリム通水路７が形成され、このリム通水路７に形成した水出穴８からボール面９に向けて洗浄水が流下する。尚、本実施例に係る便器にあっては、水出穴８からの洗浄水は溜水部内に旋回流を生じさせ、溜水部の中央部付近に浮遊する汚物を寄せ集める構造になっている。
【００４０】
前記連絡部５を介して直線部３からの洗浄水が流入する湾曲部４は、ボール面９に開口する排水口１０を迂回し、排水口１０よりも前方部分でて折り返されてゼット吐水口１１につながっている。ここで、前記直線部３から連絡部５への流路の屈折角度は鈍角となっており、洗浄水の流れに大きな抵抗が生じない構造になっている。
【００４１】
前記ゼット吐水口１１は便器の溜水部内に開口するとともに、このゼット吐水口１１に対向する位置に排水路入口１２が開口している。この排水路入口１２はゼット吐水口１１よりも低い位置に開口し、排水路入口１２に続いて排水路２内にはトラップ１３が形成され、このトラップ１３の下流側に排水路下降管１４が設けられている。
【００４２】
排水路下降管１４の途中には棚部１５と絞り部１６が設けられ、更にその下流には別の棚部１７と絞り部１８が設けられている。そして、排水の際には、トラップ１３の堰から溢れ出した洗浄水は、棚部１５，１７に当たり、絞り部１６，１８で形成される空間においてウォータシールを形成し、サイホン作用を誘発する。このサイホン作用によって、溜水部内の汚物は確実に排出される。
【００４３】
図３は別実施例に係るサイホン式便器の平面図であり、この実施例にあっては、直線部３を構成する隔壁３ｂを前方に向かって拡開することで、連絡部５を構成する隔壁５ａと段差なく連続するようにしている。このような構成とすることで、洗浄水の速度が減じられることがなく、ゼット吐水口１１からの洗浄水で排水路２内が早期に満水となり、サイホン作用の開始を早めることができる。
【００４４】
図４は別実施例に係るサイホン式便器の平面図、図５は図４に示したサイホン式便器の縦断面図であり、前記実施例と同様の部位については、同一の番号を付して説明を省略する。
【００４５】
この実施例に係るサイホン便器は、床上排水タイプであり、このタイプの便器は、サイホン力が弱いため汚物を排水路１３に吸引する力が小さいが、この実施例のように、ゼット吐水口１１を排水路入口１２に向けて下向きとするとともに、ゼット吐水口１１から排水路入口１２に至るまでの底面を連続した傾斜面とすることで、ゼット吐水口１１から排水路入口１２にスムーズに洗浄水が流入し、強力なゼット吐水流によって汚物を排水路１３に押し込み排出することが可能になる。尚、上記の構成を床上排水タイプ以外のサイホン式便器に適用できるのは勿論である。
【００４６】
また、この実施例にあっては、リム通水路７に絞り部２０を形成している。この絞り部２０を形成したことで、リム通水路７の水出穴８からボール面９に向けて流下する洗浄水の量が制限され、その代わりゼット吐水口１１からの吐出水量が増加し、全体として少ない水量で汚物の排出が可能になる。
【００４７】
図６は別実施例に係るサイホン式便器の平面図、図７は図６に示した便器の縦断面図、図８は図６に示した便器の要部拡大図、図９は図６に示した便器のゼット吐水口の形状を示す図である。
【００４８】
この実施例にあっては、ゼット吐水口１１の位置を便器の中心線を基準として左右いずれかにオフセットし、このオフセットした側と反対側に湾曲部４を配置している。このような構成とすることで、湾曲部４の曲率を大きくすることができ、湾曲部４内での洗浄水の流速が低下するのを抑えることが可能になる。
【００４９】
特に、この実施例にあっては、図９に示すように、ゼット吐水口１１の上半部の便器の中心線よりの部分の一部を壁体２１で覆った構成としている。このような構成とすることで、ゼット吐水口１１の下半部１１ａから吐出する洗浄水は図８の矢印ａに示すように真っ直ぐ吐出しようとするが、ゼット吐水口１１の上半部１１ｂからから吐出する洗浄水は壁体２１の内側に衝突するため、図８の矢印ｂに示すように向きを変えられ、洗浄水全体として進行方向に向かってローリングしながら排水路入口１２に流入する。
【００５０】
ここで、図１０は比較例に係る便器の図８と同様の図、図１１は比較例に係る便器の図９と同様の図であり、この比較例も本発明の範疇に入るのであるが、ゼット吐水口１１に壁体２１を設けていない構造である。この図１０、図１１に示す便器は、ゼット吐水口１１からの吐出速度は従来よりも速いため、サイホン効果は期待できるのであるが、前記したようにゼット吐水口１１からの吐出流が真っ直ぐのものだけであるので、デッドスペースを形成しやすいという不利がある。したがって、デッドスペースを形成しないという利点がある図６乃至図９に示した実施例の方が有利と言える。
【００５１】
尚、ゼット吐水口１１については、壁体２１を含めて着脱自在としておけば、交換や清掃に便利である。また、便器毎に最適な旋回流を得るための構造が実現できる。
【００５２】
図１２は別実施例を示す図８と同様の図であり、この実施例にあっては、ゼット吐水口１１の上流側に洗浄水を排水路２の上昇管内に向けて吐出する補助ゼット吐水口２２を設けている。このような構成とすることで、前記デッドスペースの部分を強制的に排水路２の上昇管内に送り込むことができるので、溜水部への洗浄水の戻りを確実に防止することができる。
【００５３】
図１３は別実施例を示すサイホン式便器の縦断面図であり、この実施例にあっては、図７乃至図１０に示した実施例と同様に、ゼット吐水口１１の位置を便器の中心線を基準として左右いずれかにオフセットするとともに、ゼット吐水口１１の出口から連続して形成されるボール面９の底部に水平段部９ａを形成し、ゼット吐水口１１からの水平下向きの洗浄水が水平段部９ａに衝突して僅かに減速せしめられる構成としている。
【００５４】
このような構成とすると、洗浄水は水平方向に向きが変えられ、排水路入口を指向排水路入口を略塞ぐように左右方向に広がり放射状に排水口に流入するので、排水路入口において汚物、汚水の戻り（溜水部への逆流）を防止することができ、また、サイホン作用発生後、ボール内の水面が下がった時もゼット吐水流が排水路入口を塞いでいるため排水路入口からの空気の侵入が防止され、サイホン作用が持続する。よって、少ない水量洗浄で汚物、汚水の排出を完全に行うことができ、浮遊汚物などの排出性能が向上する。
【００５５】
【発明の効果】
以上に説明した如く本発明に係るサイホン式便器によれば、便器に形成する洗浄水供給通路の形状を、洗浄水の流れに抵抗を極力与えない形状としたので、洗浄水の流速が低下せず、少ない水量で洗浄効果が得られる。また本発明のサイホン式便器によれば、洗浄水が溜水部に逆流しないので、少ない水量で汚水・汚物の排出ができ、高い節水効果が期待できる。また、本発明のサイホン式便器によれば、旋回流を生じながらトラップ内に流入する吐水流の直進力が減衰されず、かつ吐水流周囲の浮遊汚物が吸引されトラップ排水路内への搬送が確実に行われる。
【図面の簡単な説明】
【図１】本発明に係るサイホン式便器の平面図
【図２】図１に示した便器の縦断面図
【図３】別実施例に係るサイホン式便器の平面図
【図４】別実施例に係るサイホン式便器の平面図
【図５】図４に示したサイホン式便器の縦断面図
【図６】別実施例に係るサイホン式便器の平面図
【図７】図６に示した便器の縦断面図
【図８】図６に示した便器の要部拡大図
【図９】図６に示した便器のゼット吐水口の形状を示す図
【図１０】比較例に係る便器の図８と同様の図
【図１１】比較例に係る便器の図９と同様の図
【図１２】別実施例を示す図８と同様の図
【図１３】別実施例を示す縦断面図
【図１４】従来の便器の平面図
【図１５】図１４に示した従来の便器の縦断面図
【図１６】従来の便器の平面図
【図１７】図１６に示した従来の便器の縦断面図
【符号の説明】
１… 洗浄水供給通路、２…排水路、３…洗浄水供給通路の直線部、３ａ…直線部の底面、３ｂ，５ａ…隔壁、４…洗浄水供給通路の湾曲部、５…洗浄水供給通路の連絡部、６…給水穴、７…リム通水路、８…リムの水出穴、９…ボール面、９ａ…水平段部、１０…排水口、１１…ゼット吐水口、１２…排水路入口、１３…トラップ、１４…排水路下降管、１５，１７…棚部、１６，１８…絞り部、２０…絞り部、２１…壁体、２２…補助ゼット吐水口。
【図１】
0003622455.tif 000002
【図２】
0003622455.tif 000003
【図３】
0003622455.tif 000004
【図４】
0003622455.tif 000005
【図５】
0003622455.tif 000006
【図６】
0003622455.tif 000007
【図７】
0003622455.tif 000008
【図８】
0003622455.tif 000009
【図９】
0003622455.tif 000010
【図１０】
0003622455.tif 000011
【図１１】
0003622455.tif 000012
【図１２】
0003622455.tif 000013
【図１３】
0003622455.tif 000014
【図１４】
0003622455.tif 000015
【図１５】
0003622455.tif 000016
【図１６】
0003622455.tif 000017
【図１７】
0003622455.tif 000018